(57)【要約】【課題】周波数リストを取得し、選局対象として、現在地の県域と、隣接する県域を放送エリアとする放送局の一覧表示により選局対象を広げた場合の使い勝手の向上をはかる。【解決手段】デジタル放送受信装置は、デジタル放送波を受信して復調し、トランスポートストリームを出力するデジタル放送受信手段（１，２，３，４）と、トランスポートストリームの中から周波数リスト情報を抽出し、各県域を放送エリアとする放送局のデータを生成する放送局データ生成手段（７１〜７３）と、受信機の現在地を検出する現在地検出手段（１４）と、現在地の県域を放送エリアとする放送局のデータと、現在地の県域に隣接する県域を放送エリアとする放送局のデータとで表示の形態を変えて一覧表示するチャンネル一覧表示手段（７４〜７８）と、を備えて構成される。【選択図】図１
2008148240.tif 000002
【特許請求の範囲】
【請求項１】
デジタル放送波を受信して復調し、トランスポートストリームを出力するデジタル放送受信手段と、
前記トランスポートストリームの中から周波数リスト情報を抽出し、各県域を放送エリアとする放送局のデータを生成する放送局データ生成手段と、
受信機の現在地を検出する現在地検出手段と、
前記現在地の県域を放送エリアとする放送局のデータと、前記現在地の県域に隣接する県域を放送エリアとする放送局のデータとで表示の形態を変えて一覧表示するチャンネル一覧表示手段と、
を備えたことを特徴とするデジタル放送受信装置。
【請求項２】
前記チャンネル一覧表示手段は、
前記県域毎にチャンネル一覧を作成し、前記現在地の県域および隣接する県域の県域名を表示し、選択された県域のチャンネル一覧を表示することを特徴とする請求項１記載の  デジタル放送受信装置。
【請求項３】
前記チャンネル一覧表示手段は、
一画面に前記現在地の県域を放送エリアとする放送局と隣接する県域を放送エリアとする放送局データとで表示の形態を変え、一覧表示することを特徴とする請求項１記載のデジタル放送受信装置。
【請求項４】
前記チャンネル一覧表示手段は、
前記県域毎に、放送局名あるいはその背景の色を変えて一覧表示することを特徴とする請求項３記載のデジタル放送受信装置。
【請求項５】
前記チャンネル一覧表示手段は、
前記県域毎、前記放送局名を表示する枠の大きさを変更することを特徴とする請求項３記載のデジタル放送受信装置。
【請求項６】
デジタル放送波を受信して復調し、トランスポートストリームを出力するデジタル放送受信手段と、
前記トランスポートストリームの中から周波数リスト情報を抽出し、各県域を放送エリアとする放送局と、前記放送局の送信所のデータとを生成する放送局データ生成手段と、
受信機の現在地を検出する現在地検出手段と、
前記送信所の位置情報を検出する送信所位置情報検出手段と、
表示画面に現在地周辺の地図を表示するとともに、前記地図上に、前記受信機の現在地情報と、前記各送信所から送信している放送の放送局名を含む所在地とを重ね合わせて表示する地図情報表示手段と、
前記表示された放送局名が選択された場合に該当する放送局を選局する選局手段と、
を備えたことを特徴とするデジタル放送受信装置。
【請求項７】
前記放送局データ生成手段は、
前記抽出した周波数リスト情報から、各県域の放送エリアとする放送局名と各放送局の送信所の位置に対応した郵便番号のデータを生成し、
前記送信所位置検出手段は、
前記放送局データ生成手段によって生成される、前記各送信所の位置に対応した郵便番号から各送信所の位置を検出することを特徴とする請求項６記載のデジタル放送受信装置。
【請求項８】
前記放送局データ生成手段は、
前記抽出した周波数リスト情報から、前記送信所の送信出力もしくは電波の送信方向に関する情報の少なくとも一つを生成し、
前記地図情報表示手段は、
前記放送局データ生成手段によって生成される、前記送信所の送信出力もしくは電波の送信方向に関する情報を前記地図上に重ね合わせ表示することを特徴とする請求項６記載のデジタル放送受信装置。
【請求項９】
前記地図情報表示手段は、
前記放送局データ生成手段によって生成される送信所の送信出力に関する情報を前記送信出力に応じた本数の同心円を用いて表示することを特徴とする請求項８記載のデジタル放送受信装置。
【請求項１０】
前記地図情報表示手段は、
前記放送局データ生成手段により生成される送信所の電波の送信方向に関する情報を、前記送信方向に応じた角度の円弧を用いて表示することを特徴とする請求項８記載のデジタル放送受信装置。
【請求項１１】
前記地図情報表示手段は、
前記放送局データ生成手段によって生成される、前記送信所の送信出力もしくは電波の送信方向に関する情報の少なくとも一つに基づき、前記現在地で受信可能性の低い放送局名を除外して表示することを特徴とする請求項８記載のデジタル放送受信装置。
【発明の詳細な説明】
【技術分野】
【０００１】
この発明は、車載テレビ受信機や携帯テレビ受信機等、移動体に用いて好適な、デジタル放送受信装置に関するものである。
【背景技術】
【０００２】
車載テレビ受信機や携帯テレビ受信機のように、設置場所を固定しないテレビ受信機では、移動してサービスエリアが変わると、現在地で受信できる情報を何らかの形で設定する必要がある。そのひとつの方法として、放送が設定されている可能性のある周波数帯域をスキャンして受信可能な放送局を探し、見つかった放送局を選局対象として登録する方法があるが、比較的時間がかかるという問題がある。
この問題を解決するために、予め各放送局のサービスエリアとチャンネルをデータベース化して保持しておき、ＧＰＳ（Global Positioning System）等から取得した位置情報をもとに、現在地がそのサービスエリア内に含まれる放送局を選局対象として登録する方法がある。
【０００３】
しかしながら、アナログテレビ放送の場合は、既に各送信所のサービスエリアが確定しているが、デジタルテレビ放送の場合は、未だ全ての送信所が送信を開始しておらず、これから送信所が増えていく段階にある過度期においては、全送信所のサービスエリアが確定していないため、予め各放送局のサービスエリアとチャンネルをデータベース化して保持しておくことができない。
一方、デジタルテレビ放送の場合は、県域単位で各県域を放送エリアとする放送局のリストが放送されており、新局や中継局の放送開始とともに遂次更新されている。この周波数リストを取得すれば、各県域で受信できる可能性のある放送局の一覧を作成して表示することができる。
【０００４】
上記関連の技術は、従来から多数出願されており、代表的なところでは、車両の現在地において受信可能なチャンネルを提供するために、サービスエリアのデータベースを用いてチャンネル一覧を表示する技術（例えば、特許文献１参照）、受信機が移動してチャンネル配置が変化した場合に、周波数リストを利用してスキャンすることで移動先のチャンネル配置を自動的に設定する技術が知られている（例えば、特許文献２参照）。
【０００５】
【特許文献１】特開２００３−１５８６９０号公報
【特許文献２】特開２００６−１０１３０４号公報
【発明の開示】
【発明が解決しようとする課題】
【０００６】
デジタルテレビ放送において放送される周波数リストは県域単位で作成されるため、実際に受信できるエリアと正確に一致しているわけではなく、放送エリアの隣の県域でも受信できる場合がある。例えば、テレビ大阪は大阪府を放送エリアとしているが、隣の兵庫県の一部の地域でも受信できる。したがって、上記した背景技術に記載の、単純に現在地の県域を放送エリアとする放送局のチャンネル一覧を表示するだけでは不十分である。
一方、隣接する県域を放送エリアとする放送局のチャンネル一覧も表示すると、受信できる可能性の低い放送局を数多く表示することになり、使い勝手の悪化が懸念される。上記した特許文献１、特許文献２には、この問題に対する解決方法は開示されていない。
【０００７】
この発明は上記した課題を解決するためになされたものであり、周波数リストを取得し、選局対象として現在地の県域だけでなく隣接する県域を放送エリアとする放送局の一覧を表示して選局対象を広げた場合の使い勝手の向上をはかった、デジタル放送受信装置を得ることを目的とする。
【課題を解決するための手段】
【０００８】
上記した課題を解決するためにこの発明にかかわるデジタル放送受信装置は、デジタル放送波を受信して復調し、トランスポートストリームを出力するデジタル放送受信手段と、前記トランスポートストリームの中から周波数リスト情報を抽出し、各県域を放送エリアとする放送局のデータを生成する放送局データ生成手段と、受信機の現在地を検出する現在地検出手段と、前記現在地の県域を放送エリアとする放送局のデータと、前記現在地の県域に隣接する県域を放送エリアとする放送局のデータとで表示の形態を変えて一覧表示するチャンネル一覧表示手段とを備えたものである。
【０００９】
また、この発明にかかわるデシタル放送受信装置は、デジタル放送波を受信して復調し、トランスポートストリームを出力するデジタル放送受信手段と、前記トランスポートストリームの中から周波数リスト情報を抽出し、各県域を放送エリアとする放送局と、前記放送局の送信所のデータとを生成する放送局データ生成手段と、受信機の現在地を検出する現在地検出手段と、前記送信所の位置情報を検出する送信所位置情報検出手段と、表示画面に現在地周辺の地図を表示するとともに、前記地図上に、前記受信機の現在地情報と、前記各送信所から送信している放送の放送局名を含む所在地と、を重ね合わせて表示する地図情報表示手段と、前記表示された放送局名が選択された場合に該当する放送局を選局する選局手段と、を備えたものである。
【発明の効果】
【００１０】
この発明によれば、周波数リストを取得し、選局対象として現在地の県域だけでなく隣接する県域を放送エリアとする放送局の一覧を表示して選局対象を広げた場合に、現在地の県域を放送エリアとする放送局と隣接する県域を放送エリアとする放送局とを容易に識別することができ、どの放送局を選局するか選びやすくなるために使い勝手の向上をはかることができる。
【発明を実施するための最良の形態】
【００１１】
実施の形態１．
図１は、この発明の実施の形態１にかかわるデジタル放送受信装置の内部構成を示すブロック図である。
図１に示されるようにデジタル放送受信装置は、放送アンテナ１と、チューナ２と、ＯＦＤＭ（Orthogonal Frequency Division Multiplexing：直交周波数分割多重）復調部３と、デマルチプレクサ４と、オーディオデコーダ５と、制御部７と、ビデオデコーダ６と、音声出力部８と、合成部９と、グラフィックス生成部１０と、映像出力部１１と、ＧＰＳアンテナ１２と、ＧＰＳ信号受信部１３と、ＧＰＳ信号処理部１４と、メモリ１５とにより構成される。
【００１２】
図１において、デジタル放送電波は、放送アンテナ１で受信され、チューナ２に入力される。チューナ２は、選局対象のチャンネルの周波数成分を抽出してＯＦＤＭ復調部３へ出力する。ＯＦＤＭ復調部３は、その周波数成分をデジタル信号に復調し、ＭＰＥＧ２（Moving Picture Experts Group level-2）で規定されるトランスポートストリームとしてデマルチプレクサ４に供給する。デマルチプレクサ４は、そのトランスポートストリームを、オーディオストリーム、ビデオストリーム、カルーセル（carrousel）に分離して、それぞれ、オーディオデコーダ５、ビデオデコーダ６、制御部７に供給する。
オーディオストリームは、オーディオデコーダ５でデコードされ、音声出力部８を介して音声出力として出力される。また、ビデオストリームは、ビデオデコーダ６でデコードされ、合成部９に入力される。合成部９には、他に、グラフィックス生成部１０の出が供給されてえり、これらが合成され、映像制出力部１１を介して映像出力として出力される。
【００１３】
一方、カルーセルは、制御部７に入力され、後述する周波数リスト・変更情報の作成に利用される。詳細は後述する。
ＧＰＳからの信号は、ＧＰＳアンテナ１２を介してＧＰＳ信号受信部１３で受信され、ＧＰＳ信号処理部１４で復調されて緯度経度に関する受信機の現在地地情報が測位され、一定時間間隔で制御部７に入力される。メモリ１５には、制御部７で作成された周波数リスト変更情報、各県域の境界を緯度経度で表わしたデータ、全国の放送局名とそのトランスポートストリーム識別子とが保存されている。
【００１４】
周波数リスト・変更情報には、全国の各放送局のサービスエリアを示す地域識別値、トランスポートストリーム識別子、周波数変更や新規置局などのスケジュール、変更作業の開始日、変更にかかる日数、変更前後の物理チャンネル番号、変更のない送信所の物理チャンネル番号、送信所の郵便番号等が含まれている。周波数リスト・変更情報は、状況の変化に応じて随時更新される。
地域識別値は、各サービスのサービスＩＤ内の地域識別値に「６４」を加えた値になっており、各放送局の県域単位のサービスエリアに対応している。但し、単独の都道府県の他に、関東広域のように複数の都道府県を合わせて一つにした地域があり、北海道の場合は、札幌、函館のように、北海道を「７」に分けた地域がある。なお、トランスポートストリーム識別子は、各放送局と一対一に対応しており、トランスポートストリーム識別子を用いて放送局を特定することができる。
【００１５】
上記した放送アンテナ１と、チューナ２と、ＯＦＤＭ復調部３と、デマルチプレクサ４とは、この発明の一構成要件である、「デジタル放送波を受信して復調し、トランスポートストリームを出力するデジタル放送受信手段」として機能し、また、ＧＰＳアンテナ１２と、ＧＰＳ信号受信部と、ＧＰＳ信号処理部１４とは、この発明の一構成要件である、「受信機の現在地を検出する現在地検出手段」として機能する。
【００１６】
図２は、図１に示す制御部７の内部構成を機能展開して示したブロック図であり、周辺ブロックの接続関係と共に示されている。
図２に示されるように、制御部７の機能構成ブロックは、周波数リスト・変更情報抽出部７１と、周波数リスト・変更情報比較部７２と、周波数リスト・変更情報記録部７３と、現在地県域判定部７４と、隣接地域県域判定部７５と、チャンネル一覧データ生成部７６と、リモコン信号受信処理部７７と、グラフィックス作成制御部７８とからなる。
【００１７】
周波数リスト・変更情報抽出部７１は、デマルチプレクサ４で分離されたカルーセルの中から周波数リスト・変更情報を抽出して周波数リスト・変更情報比較部７２に引き渡す機能を持つ。周波数リスト・変更情報比較部７２は、周波数リスト・変更情報抽出部７１により引き渡された周波数リスト・変更情報のバージョンと、メモリ１５に保存されている周波数リスト・変更情報１５１とバージョンを比較し、その結果によっては周波数リスト・変更情報記録部７３を起動してメモリ１５に保存されている周波数リスト・変更情報１５３を置き換え、また、チャンネル一覧データ生成部７６を起動して後述するチャンネル情報一覧を生成させる機能を持つ。
周波数リスト・変更情報記録部７３は、上記したように周波数リスト・変更情報比較部７２により、周波数リストが更新されていると判定されたときに起動され、メモリ１５に保存している周波数リスト・変更情報１５３を置き換える機能を持つ。
【００１８】
現在地県域判定部７４は、ＧＰＳ信号処理部１４によって供給される測位情報と、メモリ１５に保存されている各県域の境界データ１５２とを比較して、現在地の県域を判別すし、また、隣接地域県域判定部７５は、現在地の県域に隣接するすべての県域を判別してチャンネル一覧データ生成部７６を制御する機能を持つ。
チャンネル一覧データ生成部７６は、初めて現在地の県域を判別したとき、あるいは現在地の県域が変化したときに、メモリ１５に保存された周波数リスト・変更情報１５１の中から現在地の県域をサービスエリアとする放送局、および隣接する各県域をサービスエリアとする放送局の情報を読み出して、県域毎にチャンネル一覧のデータを作成してメモリ１５に保持する機能を持つ。
【００１９】
なお、リモコン信号受信処理部７７は、リモコン１６を操作したことによるユーザからのチャンネル一覧表示指示を検知してグラフィックス作成制御部７８を起動し、グラフィックス作成制御部７８は、後述するグラフィックス生成部１０によるチャンネル一覧表示画面の生成処理を起動する機能を持つ。グラフィックス生成部１０は、このとき、現在地の県域を放送エリアとする放送局のデータとおよび現在地の県域に隣接する県域を放送エリアとする放送局のデータとで表示の形態を変えて一覧表示する。
【００２０】
このため、制御部７における、周波数リスト・変更情報抽出部７１と、周波数リスト・変更情報比較部７２と、周波数リスト・変更情報記録部７３と、現在地県域判定部７４と、隣接地域県域判定部７５と、チャンネル一覧データ生成部７６とは、第１の発明の一構成要件である、「トランスポートストリームの中から周波数リスト情報を抽出し、各県域を放送エリアとする放送局のデータを生成する放送局データ生成手段」として機能する。また、制御部７における、現在地県域判定部７４と、隣接地域県域判定部７５と、リモコン信号受信処理部７７と、グラフィックス作成制御部７８と、グラフィックス生成部１０とは、第１の発明の一構成要件である、「現在地の県域を放送エリアとする放送局のデータと、および現在地の県域に隣接する県域を放送エリアとする放送局のデータとで表示の形態を変え、一覧表示するチャンネル一覧表示手段」として機能する。
なお、メモリ１５には、上記した周波数リスト・変更情報１５１と、各県域の境界データ１５２と、各放送局名とそのトランスポートストリーム識別子１５３が領域割り当てされ、記憶される。
【００２１】
図３は、この発明の実施の形態１にかかわるデジタル放送受信装置の動作を説明するために引用したフローチャートである。
以下、図３に示すフローチャートを参照しながら図２に示すデジタル放送受信装置の動作について詳細に説明する。
【００２２】
デマルチプレクサ４で分離されたカルーセルは、制御部７に入力されることは上記したとおりである。制御部７は、周波数リスト・変更情報抽出部７１で、カルーセルの中から周波数リスト・変更情報を抽出し（ステップＳＴ３０１“Ｙｅｓ”）、周波数リスト・変更情報比較部７２で、メモリ１５に保存されている周波数リスト・変更情報１５１とバージョンを比較する。ここで、周波数リストが更新されていると判定されると（ステップＳＴ３０２“Ｙｅｓ”）、制御部７は、周波数リスト・変更情報記録部７３を介して、メモリ１５に保存している周波数リスト・変更情報１５３を置き換える（ステップＳＴ３０３）。
このため、メモリ１５には、常に最新の周波数リスト・変更情報１５１が保持されることになる。
【００２３】
一方、ＧＰＳ信号受信部１３は、ＧＰＳアンテナ１２を介して緯度経度に関する情報が入力されたか否かを定期的に監視しており（ステップＳＴ３０４）、ＧＰＳ時信号処理部１４で測位演算した結果を制御部７に供給していることは上記した通りである。
現在地県域判定部７４は、ＧＰＳ信号処理部１４によって供給される測位情報と、メモリ１５に保存されている各県域の境界データ１５２とを比較して、現在地の県域を判別する（ステップＳＴ３０５）。県域が変更になった場合（ステップＳＴ３０６“Ｙｅｓ”）、さらに隣接地域県域判定部７５において、現在地の県域に隣接するすべての県域が判別される（ステップＳＴ３０７）。
【００２４】
例えば、図４に矢印で示されるように、車両がｅ地点からａ地点に移動したとすると、現在地の県域はＥ県からＡ県に変わり、したがって、Ａ県に隣接する県域は、Ｂ県、Ｃ県、Ｄ県、Ｅ県となる。
初めて現在地の県域を判別したとき、あるいは現在地の県域が変化したとき、制御部７のチャンネル一覧データ生成部７６は、メモリ１５に保存された周波数リスト・変更情報１５１の中から現在地の県域をサービスエリアとする放送局、および隣接する各県域をサービスエリアとする放送局の情報を読み出し（ステップＳＴ３０８）、県域毎にチャンネル一覧のデータを作成してメモリ１５に保持する（ステップＳＴ３０９）。図５に、チャンネル一覧データの一例が示されている。
【００２５】
一方、制御部７のリモコン信号受信処理部７７が、リモコン１６からのチャンネル一覧表示指示（ボタン押下）を検知したときに（ステップＳＴ３１０“Ｙｅｓ”）、グラフィックス生成部制御部７８は、グラフックス生成部１０を制御して不図示の表示画面にチャンネル一覧を表示する（ステップＳＴ３１１）。このとき、現在地の県域をサービスエリアとする放送局のチャンネル一覧を前面に優先表示し、隣接する各県域も選択できるように表示する（例えば、図６参照）。
このとき、チャンネル一覧を表示していなければそのチャンネル一覧を表示し、チャンネル一覧を表示していればそのチャンネル一覧を消去する。
【００２６】
図６に、チャンネル一覧表示にかかわる画面表示の一例が示されている。図６（ａ）は、チャンネル一覧を表示したときの例であり、現在地の県域Ａ県のチャンネル一覧が表示されている。ここで、ＮＨＫ総合・Ａの枠が太くなっているのは、ここにカーソルが位置することを示しており、リモコン１６の上下矢印キー操作によりそのカーソルが上下に移動する。
リモコン１６の決定キーが押されると、そのときカーソルが示している放送局が選局される。また、左右矢印キー操作で県域が選択される。図６（ａ）の状態で右矢印キーが押されると、図６（ｂ）に示したように、Ｂ県のチャンネル一覧が表示される。
ここでは、現在地の県域をサービスエリアとする放送局のチャンネル一覧を前面に優先表示し、隣接する各県域を裏面に表示する階層表示する例を示した。但し、隣接する各県域のタグだけは、現在地の県域をサービスエリアとする放送局のチャンネル一覧が前面に優先表示されていても選択可能なように前面表示される。
【００２７】
上記した実施の形態１によれば、現在地の県域だけでなく、隣接する県域をサービスエリアとする放送局をチャンネル一覧に表示するように制御したため、ユーザにとっては選択可能範囲が広がる。また、現在地によって、隣接する県域でも近い県域と遠い県域があり、受信できる可能性には差異があるため、県域ごとに表示することにより、受信できる可能性のある県域の放送局を選択しやすくなるという効果がある。
なお、上記した実施の形態１では、県域ごとにチャンネル一覧画面を分け、県域を選択して表示するようにしたが、例えば、図７に示されるように、一表示画面に全てに放送局を表示し、県域毎に編集してその枠や背景の色を県域ごとに変化させるようにしてもよい。あるいは、放送局名の文字の色のみを変更するようにしてもよい。
【００２８】
実施の形態２．
上記した実施の形態１では、チャンネル一覧を表形式で表示するようにしたが、以下に説明する実施の形態２では、図８にその画面表示の一例が示されるように、現在地付近の地図表示を行い、当該地図上に、車両（デジタル放送受信装置）の現在地と、放送電波を放射する送信所の、例えば、郵便番号から推定される送信所の位置と、その送信所から送信している放送局名をボタン表示するようにし、当該表示された放送局名ボタンを選択指定することにより選局を行なうこととした。図８中、・マークは送信所（中継局を含む）の現在置を、また、＋マークはデジタル放送受信装置が搭載された車両の現在地を示す。
【００２９】
この発明の実施の形態２にかかわるデジタル放送受信装置は、実施の形態１で説明したデジタル放送受信装置の構成をそのまま引用することとする。但し、制御部７の機能構成と、メモリ１５の内部データ構造が若干異なる。
以下、図９を参照してこの発明の実施の形態２にかかわるデシタル放送受信装置（制御部７）について詳細に説明する。
【００３０】
実施の形態２における制御部７の機能構成で、図２示した実施の形態１との差異は、ここでは、図２に示した実施の形態１が持つ機能構成（周波数リスト・変更情報抽出部７１、周波数リスト・変更情報比較部７２、周波数リスト・変更情報記録部７３、現在地県域判定部７４、隣接地域県域判定部７５、チャンネル一覧データ生成部７６、リモコン信号受信処理部７７、グラフィックス作成制御部７８）に、送信所位置判定部７９と、地図データ生成部８０と、指向性・電界強度データ生成部８１とを付加したことにある。
【００３１】
制御部７は、まず、送信所位置判定部７９が、周波数リスト・変更情報における各放送局の送信所の郵便番号と、メモリ１５に格納された郵便番号と緯度経度の対応データ１５４とから、各送信所の緯度経度に関するデータを取得する。
地図データ生成部８０は、送信所位置判定部７９が取得した送信所の緯度経度に関するデータと、車両の現在地と、メモリ１５に格納された地図データ１５５とを重ね合わせた地図データを作成し、グラフィックス作成制御部７８へ供給する。グラフィックス作成制御部７８は、他に、チャンネル一覧データ生成部７６からチャンネル一覧データが供給されており、このため、グラフィックス作成制御部７８は、地図データ生成部８０により生成される地図と、チャンネル一覧データ生成部７６により生成されるチャンネル一覧データとを重ね合わせ表示するようにグラフィックス生成部１０を制御し、グラフィックス生成部１０は、例えば、図８にその画面構成の一例が示される画面データを生成し、不図示の表示モニタへ供給して所望の表示を得ることができる。
このとき、ユーザは、リモコン１６を操作して画面表示された放送局名を選択指定することにより所望の放送局の選局を行なうことができる。
【００３２】
なお、指向性・電界強度データ生成部８１は、抽出した周波数リスト情報から、送信所の送信出力と電波の送信方向に関する情報を生成してグラフィックス作成制御部７８へ供給する。グラフィックス作成制御部７８には、他に、地図データ生成部８０から、送信所の緯度経度に関するデータと、車両の現在地と、メモリ１５に格納された地図データ１５５とが重ね合わされた地図が供給されている。
このため、グラフィックス作成制御部７８は、地図データ生成部８０により生成される地図と、チャンネル一覧データ生成部７６により生成されるチャンネル一覧データと、指向性および電界強度データ生成部８１により生成される指向性および電界強度データとが重ね合わせ表示されるようにグラフィックス生成部１０を制御し、グラフィックス生成部１０は、例えば、図１０にその画面構成の一例が示される画面データを生成し、不図示の表示モニタへ供給して所望の表示を得ることができる。なお、メモリ１５には、上記した周波数リスト・変更情報１５１と、各県域の境界データ１５２と、各放送局名とそのトランスポートストリーム識別子１５３の他に、郵便番号と緯度経度の対応データ１５４と、地図データ１５５が領域割り当てされ、記憶されている。
【００３３】
ここでは、図１０にその画面構成の一例が示されるように、送信所の送信出力に関する情報（電界強度）は、電界強度に応じた本数の同心円ａを用い、また、送信所の電波の送信方向に関する情報は、送信方向に応じた角度の円弧ｂを用いてそれぞれ表示される。
このとき、送信所の送信出力は、物理チャンネル番号と同様に周波数リスト・変更情報に記述されている。この出力が大きいほど同心円の本数を大きくする。また、仮に、送信所の電波の送信方向が周波数リスト・変更情報、あるいは他の手段により取得できれば、その送信方向に応じて同心円を円弧にして表示することもできる。なお、このとき、メモリ１５の周波数リスト・変更情報１５１には、各送信所の送信出力および送信方向に関する情報が対応付けられて保持される。
【００３４】
なお、このとき、チャンネル一覧データ生成部７６は、指向性・電界強度データ生成部８１によって生成される、送信所の送信出力と電波の送信方向に関する情報に基づき、現在地で受信可能性の低い放送局名を除外してグラフィックス作成制御部７８へ出力することも可能である。このことにより、無意味な選局を回避でき、一層の使い勝手の向上がはかれる。
【００３５】
以上のように動作するため、上記した制御部７における、周波数リスト・変更情報抽出部７１と、周波数リスト・変更情報比較部７２と、周波数リスト・変更情報記録部７３と、現在地県域判定部７４と、隣接地域県域判定部７５と、チャンネル一覧データ生成部７６とは、第２の発明の一構成要件である、「トランスポートストリームの中から周波数リスト情報を抽出し、各県域を放送エリアとする放送局と、放送局の送信所のデータとを生成する放送局データ生成手段」として機能し、また、送信所位置判定部７９は、「送信所の位置情報を検出する送信所位置情報検出手段」として機能する。
また、制御部７における、現在地県域判定部７４と、隣接地域県域判定部７５と、チャンネル一覧データ生成部７６と、リモコン信号受信処理部７７と、グラフィックス作成制御部７８と、地図データ生成部８０と、指向性・電界強度データ生成部８１と、グラフィックス生成部１０とは、第２の発明の一構成要件である「表示画面に現在地周辺の地図を表示するとともに、地図上に、受信機の現在地情報と、各送信所から送信している放送の放送局名を含む所在地とを重ね合わせて表示する地図情報表示手段」として機能する。
【００３６】
上記した実施の形態２によれば、隣接県域を放送エリアとする放送局もチャンネル一覧に表示し、このことにより、受信可能な放送局をより多く表示することができる。その際、現在地の県域を放送エリアとする放送局と隣接する県域を放送エリアとする放送局とを容易に識別することができ、選局操作が容易になる。また、地図上に、現在地と、送信所の位置と、送信される放送局名を表示し、更には、送信所毎、受信できる可能性の高い送信所の送信出力と電波の送信方向に関する情報も表示することにより、選局可能な放送局を視覚的認識し選択しやすくなるといった効果も得られる。
【００３７】
なお、上記した実施の形態１および実施の形態２において、制御部７を構成する各ブロック７１〜８１がそれぞれ持つ機能は、ＣＰＵを内蔵する制御部７が、メモリ１５に記憶された不図示のプログラムを読み出し逐次実行することにより達成されるものであって、あくまでも説明の簡略化のために各機能ブロックに分けて表現したものである。
なお、上記した各ブロックの機能は、全てをソフトウェアによって実現しても、あるいはその少なくとも一部をハードウエアで実現してもよい。
【図面の簡単な説明】
【００３８】
【図１】この発明の実施の形態１にかかわるデジタル放送受信装置の内部構成を示すブロック図である。
【図２】図１に示す制御部の機能展開ブロック図である。
【図３】この発明の実施の形態１にかかわるデジタル放送受信装置の動作を説明するために引用したフローチャートである。
【図４】この発明の実施の形態１にかかわるデジタル放送受信装置の動作を説明するために引用した図である。
【図５】この発明の実施の形態１にかかわるデジタル放送受信装置より生成される周波数リストの一例を示す図である。
【図６】この発明の実施の形態１にかかわるデジタル放送受信装置より表示される画面構成の一例を示す図である。
【図７】この発明の実施の形態１にかかわるデジタル放送受信装置より表示される画面構成の一例を示す図である。
【図８】この発明の実施の形態２にかかわるデジタル放送受信装置より表示される画面構成の一例を示す図である。
【図９】この発明の実施の形態２にかかわるデジタル放送受信装置の制御部の機能展開ブロック図である。
【図１０】この発明の実施の形態２にかかわるデジタル放送受信装置より表示される画面構成の一例を示す図である。
【符号の説明】
【００３９】
１  放送アンテナ、２  チューナ、３  ＯＦＤＭ復調部、４  デマルチプレクサ、５  オーディオデコーダ、６  ビデオデコーダ、７  制御部、８  音声出力部、９  合成部、１０  グラフィックス生成部、１１  映像出力部、１２  ＧＰＳアンテナ、１３  ＧＰＳ信号受信部、１４  ＧＰＳ信号処理部、１５  メモリ、７１  周波数リスト・変更情報抽出部、７２  周波数リスト・変更情報比較部、７３  周波数リスト・変更情報記録部、７４  現在地県域判定部、７５  隣接地域県域判定部、７６  チャンネル一覧データ生成部、７７  リモコン信号受信処理部、７８  グラフィックス作成制御部、７９  送信所位置判定部、８０  地図データ生成部、８１  指向性・電界強度データ生成部。
【図１】
2008148240.tif 000003
【図２】
2008148240.tif 000004
【図３】
2008148240.tif 000005
【図４】
2008148240.tif 000006
【図５】
2008148240.tif 000007
【図６】
2008148240.tif 000008
【図７】
2008148240.tif 000009
【図８】
2008148240.tif 000010
【図９】
2008148240.tif 000011
【図１０】
2008148240.tif 000012